(57)【要約】【課題】実際の心臓マッサージに近い感覚を体感でき、より高度な練習を行うことができる心臓マッサージ練習器具および心臓マッサージ練習方法を得ること。【解決手段】本発明の心臓マッサージ練習器具１０は、圧迫により収縮し、圧迫解除により伸長するポンプ本体２１と、ポンプ本体２１が伸長するときに発生するポンプ室２１ａの負圧により開放されてポンプ本体２１の外部からポンプ室２１ａに液体Ｗと空気をそれぞれ吸入可能にする第１の吸入弁２２および第２の吸入弁２４と、ポンプ本体２１が収縮するときに発生するポンプ本体２１のポンプ室２１ａの正圧により開放されてポンプ室２１ａ内の液体Ｗ及び空気の少なくとも一方を外部に排出可能にする排出弁２３を有することを特徴とする。【選択図】図８
2020126096.tif 000002
【特許請求の範囲】
【請求項１】
圧迫により収縮し、圧迫解除により伸長するポンプ本体と、
前記ポンプ本体が伸長するときに発生する前記ポンプ本体のポンプ室の負圧により開放されて前記ポンプ本体のポンプ室と前記ポンプ本体の外部との間を連通して前記ポンプ本体の外部から前記ポンプ本体のポンプ室に液体を吸入可能にする第１の吸入弁と、
前記ポンプ本体が伸長するときに発生する前記ポンプ本体のポンプ室の負圧により開放されて前記ポンプ本体のポンプ室と前記ポンプ本体の外部との間を連通して前記ポンプ本体の外部から前記ポンプ本体のポンプ室に空気を吸入可能にする第２の吸入弁と、
前記ポンプ本体が収縮するときに発生する前記ポンプ本体のポンプ室の正圧により開放されて前記ポンプ本体のポンプ室と前記ポンプ本体の外部との間を連通して前記ポンプ室内の液体及び空気の少なくとも一方を外部に排出可能にする排出弁と、
を有することを特徴とする心臓マッサージ練習器具。
【請求項２】
床面に載置されるベースプレートと、
該ベースプレートの上に配置されて前記ベースプレートとの間に前記ポンプ本体を収容するカバーと、を有し、
前記ポンプ本体は、該ポンプ本体の伸縮方向一方側の端部が前記ベースプレートに固定され、前記ポンプ本体の伸縮方向他方側の端部が前記カバーに固定されており、
前記カバーは、圧迫により弾性変形して前記ポンプ本体を収縮させ、圧迫解除により弾性復帰して前記ポンプ本体を伸長させる弾性部材により形成されていることを特徴とする請求項１に記載の心臓マッサージ練習器具。
【請求項３】
前記カバーは、透明又は半透明の弾性部材により形成されていることを特徴とする請求項２に記載の心臓マッサージ練習器具。
【請求項４】
前記カバーは、前記ポンプ本体の伸縮方向他方側の端部と対向する位置に、前記カバーの圧迫と引き上げを行うための第１の心肺蘇生補助器具を装着可能にする装着部を有していることを特徴とする請求項２または３に記載の心臓マッサージ練習器具。
【請求項５】
前記ポンプ本体の伸縮方向一方側の端部と前記ベースプレートとを着脱自在に固定する第１の面ファスナーと、
前記ポンプ本体の伸縮方向他方側の端部と前記カバーとを着脱自在に固定する第２の面ファスナーとを有することを特徴とする請求項２から請求項４のいずれか一項に記載の心臓マッサージ練習器具。
【請求項６】
前記第１の吸入弁には、透明または半透明の模擬静脈管が接続され、前記排出弁には、透明または半透明の模擬動脈管が接続されたことを特徴とする請求項１から請求項５のいずれか一項に記載の心臓マッサージ練習器具。
【請求項７】
前記第２の吸入弁には、模擬気管が接続されており、
前記模擬気管には、前記第２の吸入弁を通じて前記ポンプ本体の外部から前記ポンプ本体のポンプ室に吸入される空気の吸入量を制限するための第２の心肺蘇生補助器具を接続可能にする接続部が設けられていることを特徴とする請求項１から請求項６のいずれか一項に記載の心臓マッサージ練習器具。
【請求項８】
請求項１から請求項７のいずれか一項に記載の心臓マッサージ練習器具を用いた心臓マッサージ練習方法であって、
圧迫によりポンプ本体のポンプ室内の空気と液体の少なくとも一方をポンプ本体の外部に排出させる排出工程と、
圧迫解除によりポンプ本体の外部からポンプ本体のポンプ室内に空気と液体の両方を吸入させる吸入工程と、
を含むことを特徴とする心臓マッサージ練習方法。
【発明の詳細な説明】
【技術分野】
【０００１】
本発明は、胸骨圧迫による心臓マッサージの練習を行うための心臓マッサージ練習器具および心臓マッサージ練習方法に関する。
【背景技術】
【０００２】
この種の心臓マッサージ練習器具として、変形可能な中空弾性体と、模擬静脈と、模擬動脈と、模擬僧帽弁と、模擬動脈弁とを有し、中空弾性体の収縮および拡張により、模擬静脈から仮想血液を中空弾性体に移送し、移送した仮想血液を模擬動脈に移送するものが開示されている（特許文献１参照）。従来の心臓マッサージ練習器具では、模擬僧帽弁は、中空弾性体が収縮から拡張する際に開き、中空弾性体が拡張から収縮する際に閉じるように構成されている。また、模擬動脈弁は、模擬僧帽弁とは反対に、拡張から収縮する際に開き、中空弾性体が収縮から拡張する際に閉じるように構成されている。
【先行技術文献】
【特許文献】
【０００３】
【特許文献１】特開２０１５−１９１２３５号公報
【発明の概要】
【発明が解決しようとする課題】
【０００４】
特許文献１に記載の心臓マッサージ練習器具においては、中空弾性体が収縮から拡張する際に中空弾性体内に生じた負圧、いわゆる陰圧により模擬僧帽弁が開き、模擬静脈内の模擬血液が中空弾性体内に流入し、中空弾性体が拡張から収縮する際に生ずる正圧、いわゆる陽圧により中空弾性体内の模擬血液が模擬動脈に送り出されるように構成されている。したがって、中空弾性体の変形に応じた模擬血液の流れを見ることができ、心臓の動きと役割を容易に理解することができる。従来の心臓マッサージ練習器具は、例えば小学校の児童や中学、高校の生徒をはじめとする一般人にとっては、心臓マッサージを学ぶための教材として高い価値を有する。
【０００５】
しかしながら、人体に対する実際の心臓マッサージでは、胸腔内に存在する他の内臓器官の影響を受けるので、従来の心臓マッサージ練習器具を使用して体感した心臓マッサージとは、感覚が異なっている。したがって、従来の心臓マッサージ練習器具は、例えば医師や看護師、救命救急士など、日常的に医療に携わる医療従事者が練習するのには不充分であり、高度な練習を行うことは困難であった。
【０００６】
本発明は、上記課題に鑑みてなされたもので、実際の心臓マッサージに近い感覚を体感でき、より高度な練習を行うことができる心臓マッサージ練習器具および心臓マッサージ練習方法を提供することを課題とする。
【課題を解決するための手段】
【０００７】
（１）本発明に係る心臓マッサージ練習器具は、圧迫により収縮し、圧迫解除により伸長するポンプ本体と、前記ポンプ本体が伸長するときに発生する前記ポンプ本体のポンプ室の負圧により開放されて前記ポンプ本体のポンプ室と前記ポンプ本体の外部との間を連通して前記ポンプ本体の外部から前記ポンプ本体のポンプ室に液体を吸入可能にする第１の吸入弁と、前記ポンプ本体が伸長するときに発生する前記ポンプ本体のポンプ室の負圧により開放されて前記ポンプ本体のポンプ室と前記ポンプ本体の外部との間を連通して前記ポンプ本体の外部から前記ポンプ本体のポンプ室に空気を吸入可能にする第２の吸入弁と、前記ポンプ本体が収縮するときに発生する前記ポンプ本体のポンプ室の正圧により開放されて前記ポンプ本体のポンプ室と前記ポンプ本体の外部との間を連通して前記ポンプ室内の液体及び空気の少なくとも一方を外部に排出可能にする排出弁と、を有することを特徴とする。
【０００８】
本発明によれば、圧迫によりポンプ本体が収縮して、ポンプ本体のポンプ室が加圧されて正圧となり、排出弁が開放されてポンプ本体のポンプ室からポンプ本体の外部に液体と空気の少なくとも一方が排出される。そして、圧迫解除によりポンプ本体が伸長することにより、ポンプ本体のポンプ室が負圧となり、第１の吸入弁と第２の吸入弁が開放されてポンプ本体の外部からポンプ本体のポンプ室に液体と空気が吸入される。つまり、圧迫により第１の吸入弁を通してポンプ本体の外部からポンプ室に液体が吸入されるとともに、第２の吸入弁を通してポンプ本体の外部からポンプ室に空気が吸入される。
【０００９】
本発明の心臓マッサージ練習器具は、外部からポンプ室に液体を吸入する第１の吸入弁に加えて、外部からポンプ室に空気を吸入する第２の吸入弁が設けられており、吸入工程の際に、第１の吸入弁および第２の吸入弁から液体と空気の両方がポンプ室内に吸入されるので、肺などの心臓以外の胸郭内蔵物を考慮した実際の人体の状態と同様の状態を擬似的に作り出すことができる。したがって、心臓マッサージ練習器具を使用する者は、実際の心臓マッサージに近い感覚の心臓マッサージを体感することができ、高度な練習を行うことができる。
【００１０】
（２）上記（１）に記載の心臓マッサージ練習器具であって、床面に載置されるベースプレートと、該ベースプレートの上に配置されて前記ベースプレートとの間に前記ポンプ本体を収容するカバーと、を有し、前記ポンプ本体は、該ポンプ本体の伸縮方向一方側の端部が前記ベースプレートに固定され、前記ポンプ本体の伸縮方向他方側の端部が前記カバーに固定されており、前記カバーは、圧迫により弾性変形して前記ポンプ本体を収縮させ、圧迫解除により弾性復帰して前記ポンプ本体を伸長させる弾性部材により形成されていることを特徴とする。
【００１１】
本発明によれば、圧迫によりカバーを弾性変形させてポンプ本体を収縮させることができ、圧迫解除によりカバーを弾性復帰させてポンプ本体を伸長させることができる。したがって、心臓マッサージ練習器具を使用する者は、圧迫の際にカバーの弾性力とポンプ本体の弾性力との共働による反発力を得ることができ、実際の心臓マッサージと同様の押す感覚を体感することができる。また、ポンプ本体の伸縮方向一方側の端部がベースプレートに固定され、ポンプ本体の伸縮方向他方側の端部がカバーに固定されているので、例えば圧迫解除によりカバーが弾性復帰する際に、ポンプ本体の伸縮方向他方側の端部をカバーによって引き上げて、ポンプ本体を伸長する方向に付勢し、前記ポンプ本体の弾性復帰を加勢することができる。
【００１２】
（３）上記（２）に記載の心臓マッサージ練習器具であって、前記カバーは、透明又は半透明の弾性部材により形成されていることを特徴とする。
【００１３】
本発明によれば、カバーが透明または半透明の弾性部材により形成されているので、心臓マッサージ練習器具を使用する者は、カバーを圧迫したときとカバーの圧迫を解除したときのポンプ本体の動作を目視することができ、実際の心臓マッサージをする際の心臓の動きを容易に理解することができる。
【００１４】
（４）上記（２）または（３）に記載の心臓マッサージ練習器具であって、前記カバーは、前記ポンプ本体の伸縮方向他方側の端部と対向する位置に、前記カバーの圧迫と引き上げを行うための第１の心肺蘇生補助器具を装着可能にする装着部を有していることを特徴とする。
【００１５】
本発明によれば、装着部に、例えばカーディオポンプなどのカバーの圧迫と引き上げを行うための第１の心肺蘇生補助器具を取り付けて圧迫し、圧迫解除する際に引き上げることにより、ポンプ本体を強制的に伸長させることができる。したがって、より多くの液体をより速くポンプ室に吸入させることができ、第１の心肺蘇生補助器具の効果を実感でき、第１の心肺蘇生補助器具の使用方法を効率よく習得することができる。
【００１６】
（５）上記（２）から（４）のいずれかに記載の心臓マッサージ練習器具であって、前記ポンプ本体の伸縮方向一方側の端部と前記ベースプレートとを着脱自在に固定する第１の面ファスナーと、前記ポンプ本体の伸縮方向他方側の端部と前記カバーとを着脱自在に固定する第２の面ファスナーとを有することを特徴とする。
【００１７】
本発明によれば、第１の面ファスナーと第２の面ファスナーにより各構成要素が着脱自在に固定されているので、各構成要素を容易に分解することができ、メンテナンスなどの利便性が向上する。
【００１８】
（６）（１）から（５）のいずれかに記載の心臓マッサージ練習器具であって、前記第１の吸入弁には、透明または半透明の模擬静脈管が接続され、前記排出弁には、透明または半透明の模擬動脈管が接続されたことを特徴とする。
【００１９】
本発明によれば、心臓マッサージ練習器具を使用する者は、吸入や排出における液体の動きを透明または半透明の模擬静脈管および模擬動脈管の外側から目視することができ、使用者の動作と液体の動きとの関係を容易に把握することができ、心臓マッサージの練習の効果を向上させることができる。
【００２０】
（７）（１）から（６）のいずれかに記載の心臓マッサージ練習器具であって、前記第２の吸入弁には、模擬気管が接続されており、前記模擬気管には、前記第２の吸入弁を通じて前記ポンプ本体の外部から前記ポンプ本体のポンプ室に吸入される空気の吸入量を制限するための第２の心肺蘇生補助器具を接続可能にする接続部が設けられていることを特徴とする。
【００２１】
本発明によれば、空気の吸入量を制限する吸気時空気抵抗弁装置（ＩＴＤ）等の第２の心肺蘇生補助器具を接続部に接続して心臓マッサージの動作を行った場合に、第２の心肺蘇生補助器具を接続していないときと比較して、第２の吸入弁を通過してポンプ室に流入する空気の量が減り、第１の吸入弁を通過してポンプ室に流入する液体の量が増加し、より多くの液体をポンプ室に吸入して排出することができる。したがって、第２の心肺蘇生補助器具を用いて実際の人体への心臓マッサージにおいて肺に入り込む空気の量を制限した状態を擬似的に作り出すことができ、心肺蘇生補助器具である吸気時空気抵抗弁装置（ＩＴＤ）の効果を実感でき、使用方法を効率よく習得することができる。
【００２２】
（８）（１）から（７）の何れかに記載の心臓マッサージ練習器具を用いた心臓マッサージ練習方法であって、圧迫によりポンプ本体のポンプ室内の空気と液体の少なくとも一方をポンプ本体の外部に排出させる排出工程と、圧迫解除によりポンプ本体の外部からポンプ本体のポンプ室内に空気と液体の両方を吸入させる吸入工程とを、含むことを特徴とする心臓マッサージ練習方法。
【００２３】
本発明によれば、心臓マッサージ練習器具の使用者は、排出工程と吸入工程とを交互に行うことによって、ポンプ本体の動きや液体の動きを目視することができる。そして、吸入工程の際に、第１の吸入弁および第２の吸入弁から空気と液体の両方がポンプ本体のポンプ室内に吸入されるので、肺などの心臓以外の胸郭内蔵物を考慮した実際の人体の状態と同様の状態を擬似的に作り出すことができ、心臓マッサージ練習器具の使用者は、実際の心臓マッサージに近い感覚の心臓マッサージを体感することができ、高度な練習を行うことができる。
【発明の効果】
【００２４】
本発明によれば、実際の心臓マッサージに近い感覚を体感でき、より高度な練習を行うことができる心臓マッサージ練習器具を提供することができる。
【図面の簡単な説明】
【００２５】
【図１】本発明の実施形態に係る心臓マッサージ練習器具の概要を示す斜視図。
【図２】本発明の実施形態に係る心臓マッサージ練習器具の一部の分解斜視図。
【図３】本発明の実施形態に係る心臓マッサージ練習器具の他の一部の斜視図。
【図４】本発明の実施形態に係る心臓マッサージ練習器具の平面図、側面図および正面図。
【図５】本発明の実施形態に係る心臓マッサージ練習器具のカバーを取り外した斜視図。
【図６】本発明の実施形態に係る心臓マッサージ練習器具の一部の平面図、Ａ−Ａ断面を示す断面図およびＢ−Ｂ断面を示す断面図。
【図７】本発明の実施形態に係る心臓マッサージ練習器具の第１の吸入弁と第２の吸入弁と排出弁の動きを説明する断面図であり、図７（ａ）は、第１の吸入弁を示し、図７（ｂ）は、排出弁を示し、図７（ｃ）は、第２の吸入弁を示す。
【図８】本発明の実施形態に係る心臓マッサージ練習器具の動作を説明する説明図であり、図８（ａ）は、心臓ポンプの初期状態を示し、図８（ｂ）は、ポンプ本体が圧迫されて収縮した状態を示し、図８（ｃ）は、ポンプ本体が圧迫解除により伸長した状態を示し、図８（ｄ）は、再度ポンプ本体が圧迫されて収縮した状態を示す。
【図９】本発明の実施形態に係る心臓マッサージ練習器具に装着される第１の心肺蘇生補助器具の斜視図。
【図１０】本発明の実施形態に係る心臓マッサージ練習器具に第１の心肺蘇生補助器具を装着して使用している状態を示す斜視図。
【発明を実施するための形態】
【００２６】
本発明に係る心臓マッサージ練習器具を適用した実施形態に係る心臓マッサージ練習器具１０について図面を参照して説明する。
【００２７】
本実施形態に係る心臓マッサージ練習器具１０は、人体の心臓マッサージを練習するために使用されるものであり、例えば医療従事者を対象とした高度な練習にも用いることができるものである。心臓マッサージ練習器具１０は、人体の胸部を模した形状を有しており、地面や床面などの平坦な面に載置して、心臓マッサージ練習器具１０の使用者が胸骨に相当する部分の圧迫と圧迫解除を交互に繰り返して心臓マッサージを練習することができるようになっている。
【００２８】
心臓マッサージ練習器具１０を使用して心臓マッサージの練習を行う場合、図１に示すように、心臓マッサージ練習器具１０とは別に、心臓マッサージ練習器具１０に吸入させる水などの液体を貯留するための第１の容器５１と、心臓マッサージ練習器具１０から排出される液体を貯留するための第２の容器５２を用意する。これらの第１の容器５１と第２の容器５２は、液体を貯留できるものであればよく、例えばバケツを用いることができるが、これらの容器内の液体の量の変化を容易に見ることができるように、透明または半透明の容器を用いることが好ましい。また、液体は、入手や取り扱いの容易さから水を用いることが好ましく、例えば絵の具等により水を着色して液体の流れや量の変化をより容易に見ることができるようにしてもよい。
【００２９】
次に、心臓マッサージ練習器具１０の構成について詳細に説明する。
【００３０】
心臓マッサージ練習器具１０は、図１及び図２に示すように、心臓ポンプ１１と、心臓ポンプ１１が載置されるベースプレート１７と、ベースプレート１７の上に配置されてベースプレート１７との間に心臓ポンプ１１を収容するカバー１２とを備えている。
【００３１】
心臓ポンプ１１は、使用者による圧迫および圧迫解除により液体Ｗと空気の吸入および排出を行う構成を有しており、図２および図６に示すように、ポンプ本体２１と、ポンプ本体２１にそれぞれ取り付けられた第１の吸入弁２２と、排出弁２３と、第２の吸入弁２４と、第１の吸入弁２２に接続される模擬静脈管２５と、排出弁２３に接続される模擬動脈管２６と、第２の吸入弁２４に接続される模擬気管２７とを有している。
【００３２】
ポンプ本体２１は、圧迫により弾性変形して収縮し、圧迫解除により弾性復帰して伸長する構成を有している。ポンプ本体２１は、例えば図４に示すように、ポンプ本体２１の伸縮方向一方側の端部である下端部がベースプレート１７に固定され、ポンプ本体２１の伸縮方向他方側の端部である上端部がカバー１２に固定されている。
【００３３】
ポンプ本体２１は、図２に示すように、軸方向に伸縮可能な円筒状の蛇腹部３１と、蛇腹部３１の下端部を閉塞する下端面部３３と、蛇腹部３１の上端部を閉塞する上端面部３２とを有している。ポンプ本体２１の内部には、蛇腹部３１と、下端面部３３および上端面部３２により囲まれた密閉の空間からなるポンプ室２１ａが形成されている。ポンプ本体２１は、収縮するときにポンプ室２１ａを正圧とし、伸長するときにポンプ室２１ａを負圧とする。
【００３４】
蛇腹部３１は、大径部と小径部を交互に連続して形成した合成樹脂製の薄肉円筒部材からなり、所定の大きさ（ｍｍ３）および厚み（ｍｍ）で作製され、軸方向に伸縮することができる弾力性、柔軟性および気密性を有している。蛇腹部３１は、下端部に下端面部３３を取り付けるための取付部３１ｂと、上端部に上端面部３２を取り付けるための取付部３１ａとを有している。
【００３５】
ポンプ本体２１は、カバー１２の内壁面に上端面部３２が固定され、固定プレート１４とスペーサ３４を間に介してベースプレート１７に下端面部３３が固定されている。そして、ポンプ本体２１は、カバー１２の胸骨部分を心臓マッサージ練習器具１０の使用者が下方に押し込んで圧迫することにより、ポンプ本体２１の蛇腹部３１がカバー１２とともに弾性変形して、軸方向に収縮する。そして、圧迫を解除することにより蛇腹部３１がカバー１２とともに弾性復帰して、軸方向に伸長する。
【００３６】
カバー１２および蛇腹部３１は、例えば、カバー１２の胸骨部分に約３０Ｋｇｆ（約２９４Ｎ）で押す力が加えられて圧迫された場合に、弾性変形して５ｃｍ程度、カバー１２の胸骨部分の高さが低くなるように弾性強度が設定されている。したがって、カバー１２および蛇腹部３１のばね定数は、６０Ｎ／ｃｍ程度のものである。なお、負荷および収縮量は、約３０Ｋｇｆおよび５ｃｍに限られず、適宜、最適値が選択される。
【００３７】
そして、カバー１２および蛇腹部３１は、圧迫が解除されると、自己の復帰力（Ｎ）により、元の形状に速やかに弾性復帰する。カバー１２および蛇腹部３１は、カバー１２の胸骨部分を心臓マッサージ練習器具１０の使用者により押す練習が行われたときに、１分間に１００回〜１２０回程度の圧迫回数が得られるように弾性力が設定されている。
【００３８】
上端面部３２は、図２、図５および図６に示すように、蛇腹部３１の取付部３１ａが挿入される挿入部３２ａと、ベルトファスナー１６を通す一対のベルトガイド部３２ｂと、第１の面ファスナー１３を固定させるファスナー固定部３２ｃとを有している。上端面部３２は、一対の第１の面ファスナー１３によりカバー１２の内壁面に着脱可能に固定されており、カバー１２が圧迫されて弾性変形すると、カバー１２と一体に下方に移動して蛇腹部３１を収縮させ、カバー１２が圧迫解除されて弾性復帰すると、カバー１２と一体に上方に移動して蛇腹部３１を伸長させる。
【００３９】
下端面部３３は、図２、図５、図６および図７に示すように、蛇腹部３１の取付部３１ｂが挿入される挿入部３３ａと、第１の吸入弁２２および排出弁２３を取り付ける取付部３３ｂとを有している。取付部３３ｂには、貫通孔３３ｄ、３３ｅが形成されており、貫通孔３３ｅには、第１の吸入弁２２の取付部４１ａが挿入され、貫通孔３３ｄには、排出弁２３の取付部４３ａが挿入されて、それぞれシールされた状態で固定されている。下端面部３３には、中心部を貫通する貫通孔３３ｃが形成されている。下端面部３３の貫通孔３３ｃには、第２の吸入弁２４の接続部４６ｂが挿入されてシールされた状態で固定されている。
【００４０】
下端面部３３の下には、スペーサ３４が設けられている。スペーサ３４は、図２、図５および図６に示すように、下端面部３３と固定プレート１４との間に介在されており、下端面部３３に当接する当接面３４ａと、固定プレート１４に当接する当接面３４ｂとを有している。そして、スペーサ３４の側面側には貫通孔３４ｃが形成され、中央部には貫通孔３４ｄが形成されている。貫通孔３４ｃには、模擬気管２７が通され、貫通孔３４ｄには第２の吸入弁２４の接続部４６ｂが挿入されて固定されている。
【００４１】
第１の吸入弁２２は、ポンプ本体２１が伸長するときに発生するポンプ室２１ａの負圧により開放されてポンプ室２１ａとポンプ本体２１の外部との間を連通してポンプ本体２１の外部からポンプ室２１ａに液体を吸入可能にする構成を有する。第１の吸入弁２２は、図７（ａ）に示すように、内部に貫通した流路２２ａを有するバルブケース４１と、流路２２ａを開閉する弁体４２とを有している。
【００４２】
バルブケース４１は、ポンプ本体２１の下端面部３３に取り付ける取付部４１ａと、模擬静脈管２５を接続する接続部４１ｂとを有している。弁体４２は、図７（ａ）の上側の図に示すように、取付部４１ａ側から接続部４１ｂ側に向かって（図７（ａ）の左側から右側に向かって）空気または液体Ｗが流れてきた場合に流路２２ａを閉塞し、図７（ａ）の下側の図に示すように、接続部４１ｂ側から取付部４１ａ側に向かって（図７（ａ）の右側から左側に向かって）液体Ｗが流れてきた場合に流路２２ａを開放する。
【００４３】
排出弁２３は、ポンプ本体２１が収縮するときに発生するポンプ室２１ａの正圧により開放されてポンプ室２１ａとポンプ本体２１の外部との間を連通してポンプ室２１ａ内の液体Ｗ及び空気の少なくとも一方を外部に排出可能にする構成を有する。排出弁２３は、図７（ｂ）に示すように、内部に貫通した流路２３ａを有するバルブケース４３と、流路２３ａを開閉する弁体４４とを有している。
【００４４】
バルブケース４３は、ポンプ本体２１の下端面部３３に取り付ける取付部４３ａと、模擬動脈管２６を接続する接続部４３ｂとを有している。弁体４４は、図７（ｂ）の上側の図に示すように、取付部４３ａ側から接続部４３ｂ側に向かって（図７（ｂ）の左側から右側に向かって）空気または液体Ｗが流れてきた場合に流路２３ａを開放し、図７（ｂ）の下側の図に示すように、接続部４３ｂ側から取付部４３ａ側に向かって（図７（ｂ）の右側から左側に向かって）空気または液体Ｗが流れてきた場合に流路２３ａを閉塞する。
【００４５】
第２の吸入弁２４は、ポンプ本体２１が伸長するときに発生するポンプ室２１ａの負圧により開放されてポンプ室２１ａとポンプ本体２１の外部との間を連通してポンプ本体２１の外部からポンプ室２１ａに空気を吸入可能にする構成を有する。第２の吸入弁２４は、図７（ｃ）に示すように、内部に貫通した流路２４ａを有するバルブケース４６と、流路２４ａを開閉する弁体４７とを有している。
【００４６】
バルブケース４６は、下端面部３３の貫通孔３３ｃとスペーサ３４の貫通孔３４ｄに挿通されてスペーサ３４内に突出し、スペーサ３４内で模擬気管２７に接続される接続部４６ｂと、接続部４６ｂの端部で拡径されて下端面部３３に取り付けられるフランジ部４６ａとを有している。弁体４７は、図７（ｃ）の左側の図に示すように、接続部４６ｂ側からフランジ部４６ａ側に向かって（図７（ｃ）の下側から上側に向かって）空気が流れてきた場合に流路２４ａを開放し、図７（ｃ）の右側の図に示すように、フランジ部４６ａ側から接続部４６ｂ側に向かって（図７（ｃ）の上側から下側に向かって）空気または液体Ｗが流れてきた場合に流路２３ａを閉塞する。
【００４７】
模擬静脈管２５は、透明または半透明の合成樹脂からなる所定の長さの柔軟性のあるチューブで形成されており、内部に空気または液体Ｗを流通させる流路２５ａを有している。模擬静脈管２５は、両端部で開口しており一端が吸入弁２２の接続部４１ｂに接続され、他端が開口端となっている。模擬静脈管２５の他端は、図１に示すように、第１の容器５１内に貯留されている液体Ｗに浸漬される。
【００４８】
模擬動脈管２６は、模擬静脈管２５と同様に、透明または半透明の合成樹脂からなる所定の長さの柔軟性のあるチューブで形成されており、内部に空気または液体Ｗを流通させる流路２６ａを有している。模擬動脈管２６は、両端部で開口しており一端が排出弁２３の接続部４３ｂに接続され、他端が開口端となっている。模擬動脈管２６の他端は、図１に示すように、第２の容器５２内に配置される。
【００４９】
模擬気管２７は、合成樹脂からなる所定の長さの柔軟性のあるチューブで形成されており、内部に空気を流通させる流路２７ａを有している。模擬気管２７は、両端部で開口しており一端が第２の吸入弁２４の接続部４６に接続され、他端が開口端となっている。模擬気管２７の開口端２７ｂは、第２の心肺蘇生補助器具である抵抗弁２８（図１０を参照）を接続可能にする接続部としても機能する。
【００５０】
カバー１２は、圧迫により弾性変形してポンプ本体２１を収縮させ、圧迫解除により弾性復帰してポンプ本体２１を伸長させる弾性部材により形成されている。カバー１２は、図１、図２および図４に示すように、例えば透明または半透明の合成樹脂からなる板状部材を立体的に成形することにより構成されており、人体の胸部を模した滑らかな形状を有している。
【００５１】
カバー１２は、カバー１２の上面で且つ胸骨部分の中央下部３分の１の位置に相当する部分に平坦に形成された平坦部１２ａを有している。カバー１２は、心臓マッサージ練習器具１０の使用者が両手で平坦部１２ａを押し下げて圧迫した場合に弾性変形して押す力に応じた所定の距離だけ沈み込み、圧迫解除により弾性復帰する剛性および弾性力を有している。平坦部１２ａは、ポンプ本体２１の上端面部３２と対向する位置に配置されており、例えばカーディオポンプなどのカバー１２の圧迫と引き上げを行うための第１の心肺蘇生補助器具を装着可能にする装着部として機能する。平坦部１２ａは、例えばカーディオポンプの吸盤を吸着可能な円滑な面を有している。
【００５２】
カバー１２の外縁には、全周に亘ってベースプレート１７に当接するように、所定幅（ｍｍ）で平坦に形成された縁部１２ｂが設けられている。また、カバー１２の側面には、模擬静脈管２５を通す貫通孔１２ｃと、模擬動脈管２６を通す貫通孔１２ｄと、模擬気管２７を通す貫通孔１２ｅが設けられている。
【００５３】
カバー１２の内壁面でかつ平坦部１２ａと対向する部位には、ポンプ本体２１の上端面部３２が一対の第１の面ファスナー１３によって着脱自在に固定されている。一対の第１の面ファスナー１３は、図１、図５および図６に示すように、四隅が面取りされた方形で、所定の厚みを有する面圧着部材からなる。一対の第１の面ファスナー１３は、フック上に起毛された側と、ループ状に密集して起毛された側とを押し付けることにより貼り付くように構成されており、着脱自在に締結される。
【００５４】
一対の第１の面ファスナー１３のうち一方の第１の面ファスナー１３が心臓ポンプ１１の上端面部３２に固着され、他方の第１の面ファスナー１３がカバー１２の内壁面に固着されており、カバー１２と上端面部３２とを着脱自在に固定している。第１の面ファスナー１３としては、例えば、マジックテープ（株式会社クラレの登録商標）や、ベルクロ（ビーブイビーエー社の登録商標）が挙げられる。
【００５５】
固定プレート１４は、図２、図５および図６に示すように、方形で所定の厚みを有するガラス、木材、合成樹脂または金属からなる板によって構成されている。固定プレート１４の上面には、ポンプ本体２１のスペーサ３４が当接される。固定プレート１４は、一対の第２の面ファスナー１５によってベースプレート１７に着脱可能に固定される。
【００５６】
一対の第２の面ファスナー１５は、図２、図３および図５に示すように、方形で、所定の厚みを有する面圧着部材からなる。一対の第２の面ファスナー１５は、第１の面ファスナー１３と同様に、フック上に起毛された側と、ループ状に密集して起毛された側とを押し付けることにより貼り付くように構成されており、互いに着脱自在に固定される。
【００５７】
一対の第２の面ファスナー１５のうち一方の第２の面ファスナー１５は、図２に示すように、固定プレート１４の下面に固着され、他方の第２の面ファスナー１５は、図３に示すように、ベースプレート１７の上面に固着されている。第２の面ファスナー１５としては、第１の面ファスナー１３と同様に、マジックテープ（株式会社クラレの登録商標）や、ベルクロ（ビーブイビーエー社の登録商標）が挙げられる。
【００５８】
ポンプ本体２１は、図２、図５および図６に示すように、ベルトファスナー１６によって固定プレート１４に一体的に固定される。ベルトファスナー１６は、所定の幅で、所定の厚みを有する帯状の面圧着部材からなる。ベルトファスナー１６は、第１の面ファスナー１３と同様に、フック上に起毛された側と、ループ状に密集して起毛された側とを押し付けることにより貼り付くように構成されており、互いに着脱自在に固定される。
【００５９】
ベルトファスナー１６は、図２および図５に示すように、上端面部３２の一対のベルトガイド部３２ｂに通し、固定プレート１４とベースプレート１７との間を通し、両端部がオーバーラップした部分で、貼り付けられることにより、ポンプ本体２１を固定プレート１４に着脱自在に固定し、一体化させる。
【００６０】
ベルトファスナー１６は、カバー１２とポンプ本体２１の圧迫により弛んで蛇腹部３１の収縮を許容する一方、圧迫解除により蛇腹部３１が伸長した際に所定長さ以上伸長しないように制限する機能を有する。ベルトファスナー１６は、本実施形態では、カバー１２が押されていない状態でカバー１２の内壁面に上端面部３２が当接する長さに調整されている。ベルトファスナー１６として、第１の面ファスナー１３と同様に、マジックテープ（株式会社クラレの登録商標）や、ベルクロ（ビーブイビーエー社の登録商標）が挙げられる。
【００６１】
ベースプレート１７は、図１、図３、図４および図５に示すように、方形で所定の厚みを有する木材、合成樹脂または金属からなる板で構成されている。ベースプレート１７の上面には、一対の第２の面ファスナー１５のうちの他方の第２の面ファスナー１５が固着されており、他方の第２の面ファスナー１５を介して心臓ポンプ１１がベースプレート１７の上面に着脱自在に装着される。ベースプレート１７は、心臓マッサージ練習器具１０を使用する者が簡単に運搬できる程度の大きさおよび重さを有している。
【００６２】
次いで、本実施形態に係る心臓マッサージ練習器具１０の動作について図面を参照して説明する。なお、心臓マッサージ練習器具１０の心臓ポンプ１１の動作を説明する便宜上、図８（ａ）〜図８（ｄ）では、第１の吸入弁２２が、排出弁２３の上部に位置するように図示している。第１の吸入弁２２が、排出弁２３の上部に位置しても、両者は、第１の吸入弁２２が、排出弁２３の横に位置した場合と同様に機能する。
【００６３】
本実施形態に係る心臓マッサージ練習器具１０による練習においては、図８（ａ）に示す初期状態、即ち、練習のために、心臓マッサージ練習器具１０を最初にセットした状態から練習が開始される。心臓マッサージ練習器具１０の近傍には、人体の血液を模した液体Ｗ、例えば水が満たされた第１の容器５１が配置され、模擬静脈管２５の開口端が液体Ｗの中に浸漬される。
【００６４】
また、第１の容器５１の近傍には、第２の容器５２が空の状態で載置され、模擬静脈管２５の開口端が第２の容器５２の中に挿入される。この初期状態では、第１の吸入弁２２、第２の吸入弁２４および排出弁２３は閉じた状態となっている。
【００６５】
次いで、使用者によりカバー１２が圧迫されて、図８（ｂ）に示すように、ポンプ本体２１が収縮し、ポンプ本体２１のポンプ室２１ａ内が正圧となると、ポンプ室２１ａ内の空気が、排出弁２３から排出され、模擬動脈管２６を通って開口端から第２の容器５２内に排出される。このとき、第１の吸入弁２２および第２の吸入弁２４は閉じた状態となり、排出弁２３は開いた状態となっている。
【００６６】
次いで、使用者によるカバー１２の圧迫が解除されて、図８（ｃ）に示すように、ポンプ本体２１が伸長し、ポンプ本体２１のポンプ室２１ａ内が負圧となると、模擬静脈管２５の開口端から第１の容器５１内の液体Ｗが吸入され、模擬静脈管２５を通過して第１の吸入弁２２からポンプ室２１ａ内に流入する。そして、同時に、外部の空気が模擬気管２７を通って、第２の吸入弁２４からポンプ室２１ａ内に流入する。このとき、第１の吸入弁２２および第２の吸入弁２４は開いた状態となり、排出弁２３は閉じた状態となっている。
【００６７】
使用者によるカバー１２への圧迫が解除されて、第１の吸入弁２２からポンプ室２１ａ内に液体Ｗが吸入される動作と、第２の吸入弁２４からポンプ室２１ａ内に空気が吸入される動作は、心臓マッサージ練習方法における吸入工程に対応する。
【００６８】
次いで、再び使用者によりカバー１２が圧迫されて、図８（ｄ）に示すように、ポンプ本体２１が収縮し、ポンプ本体２１のポンプ室２１ａ内が正圧となると、ポンプ室２１ａ内の空気と液体Ｗの少なくとも一方が排出弁２３から排出され、模擬動脈管２６を通って開口端から第２の容器５２内に排出される。このとき、第１の吸入弁２２および第２の吸入弁２４は閉じた状態となり、排出弁２３は開いた状態となっている。
【００６９】
使用者によりカバー１２が圧迫されて、排出弁２３からポンプ室２１ａ内の空気および液体Ｗの少なくとも一方が排出され、模擬動脈管２６を通って開口端から第２の容器５２内に排出される動作は、心臓マッサージ練習方法における排出工程に対応する。
【００７０】
次に、本実施形態に係る心臓マッサージ練習器具１０の作用効果について説明する。
【００７１】
心臓マッサージ練習器具１０は、伸縮自在のポンプ本体２１に形成されたポンプ室２１ａと、ポンプ室２１ａに液体Ｗを吸入する第１の吸入弁２２と、ポンプ室２１ａに空気を吸入する第２の吸入弁２４と、ポンプ室２１ａ内の空気および液体Ｗの少なくとも一方を排出する排出弁２３とを有している。
【００７２】
したがって、心臓マッサージ練習器具１０の使用者が、カバー１２を圧迫することでポンプ本体２１が収縮し、ポンプ本体２１のポンプ室２１ａが正圧となり、ポンプ本体２１のポンプ室２１ａの空気または液体の少なくとも一方が排出弁２３から排出される（排出工程）。そして、カバー１２の圧迫解除により、ポンプ本体２１が伸長し、ポンプ本体２１のポンプ室２１ａが負圧となり、第１の吸入弁２２および第２の吸入弁２４から液体Ｗと空気がポンプ本体２１内に吸入される（吸入工程）。つまり、圧迫と解除により第１の吸入弁２２を通してポンプ本体２１の外部からポンプ室２１ａに液体Ｗが吸入されるとともに、第２の吸入弁２４を通してポンプ本体２１の外部からポンプ室２１ａに空気が吸入される。
【００７３】
心臓マッサージ練習器具１０は、外部からポンプ室２１ａに液体を吸入する第１の吸入弁２２に加えて、外部からポンプ室２１ａに空気を吸入する第２の吸入弁が設けられており、吸入工程の際に、第１の吸入弁２２および第２の吸入弁２４から液体Ｗと空気の両方をポンプ室２１ａ内に吸入することができる。
【００７４】
例えば実際の人体に対する心臓マッサージでは、外部から胸骨を圧迫することによって心臓を圧迫するが、同時に呼吸器官である肺などの心臓の周囲に存在する他の胸郭内臓物も圧迫される。特に肺の中の空気は、胸骨を圧迫する際の緩衝材となり、圧迫による心臓の収縮を妨げるように作用する。したがって、実際の心臓マッサージでは、肺の中に残っている空気の量や、心臓マッサージによって同時に肺に取り込まれる空気の量に応じて、心臓から送り出すことができる血液量が変化する。
【００７５】
心臓マッサージ練習器具１０によれば、吸入工程の際に、第１の吸入弁２２および第２の吸入弁２４から液体Ｗと空気の両方がポンプ本体２１内に吸入されるので、肺などの心臓以外の胸郭内蔵物を考慮した実際の人体の状態と同様の状態を擬似的に作り出すことができ、心臓マッサージ練習器具１０の使用者は、人体に対する実際の心臓マッサージに近い感覚の心臓マッサージを体感することができ、高度な練習を行うことができる。
【００７６】
心臓マッサージ練習器具１０は、床面に載置されるベースプレート１７と、ベースプレート１７の上に配置されてベースプレート１７との間にポンプ本体２１を収容するカバー１２と、を有し、ポンプ本体２１は、ポンプ本体２１の伸縮方向一方側の端部がベースプレート１７に固定され、ポンプ本体２１の伸縮方向他方側の端部がカバー１２に固定されており、カバー１２は、圧迫により弾性変形してポンプ本体２１を収縮させ、圧迫解除により弾性復帰してポンプ本体２１を伸長させる弾性部材により形成されている。
【００７７】
したがって、圧迫によりカバー１２を弾性変形させてポンプ本体２１を収縮させることができ、圧迫解除によりカバー１２を弾性復帰させてポンプ本体２１を伸長させることができる。したがって、心臓マッサージ練習器具１０の使用者は、圧迫の際にカバー１２の弾性力とポンプ本体２１の弾性力との共働による反発力を得ることができ、実際の心臓マッサージと同様の押す感覚を体感することができる。また、ポンプ本体２１の伸縮方向一方側の端部である下端面部３３がベースプレート１７に固定され、ポンプ本体２１の伸縮方向他方側の端部である上端面部３２がカバー１２に固定されているので、例えば圧迫解除によりカバー１２が弾性復帰する際に、ポンプ本体２１の上端面部３２をカバー１２によって引き上げて、ポンプ本体２１を伸長する方向に付勢し、ポンプ本体２１の弾性復帰を加勢することができる。
【００７８】
そして、心臓マッサージ練習器具１０は、カバー１２が透明または半透明の弾性部材により形成されているので、心臓マッサージ練習器具１０の使用者は、カバー１２を圧迫したときとカバー１２の圧迫を解除したときのポンプ本体２１の動作を目視することができ、実際の心臓マッサージをする際の心臓の動きを容易に理解することができる。
【００７９】
また、本実施形態に係る心臓マッサージ練習器具１０によれば、ポンプ本体２１が速やかに弾性復帰するので、１分当たりの圧迫回数が１００〜１２０程度になり液体Ｗの良好な送り出しができるという効果が得られる。
【００８０】
心臓マッサージ練習器具１０は、ポンプ本体２１の伸縮方向一方側の端部である下端面部３３とベースプレート１７とを着脱自在に固定する第１の面ファスナー１３と、ポンプ本体２１の伸縮方向他方側の端部である上端面部３２とカバー１２とを着脱自在に固定する第２の面ファスナー１５とを有しており、第１の面ファスナー１３と第２の面ファスナー１５により各構成要素が着脱自在に固定されているので、各構成要素を容易に分解することができ、メンテナンスなどの利便性が向上するという効果が得られる。
【００８１】
心臓マッサージ練習器具１０は、第１の吸入弁２２には、透明または半透明の模擬静脈管２５が接続され、排出弁２３には、透明または半透明の模擬動脈管２６が接続されている。したがって、心臓マッサージ練習器具１０の使用者は、吸入や排出における液体Ｗの動きを透明または半透明の模擬静脈管２５および模擬動脈管２６の外側から目視することができ、使用者の動作と液体の動きとの関係を容易に把握することができ、心臓マッサージの練習の効果を向上させることができる。
【００８２】
本実施形態に係る心臓マッサージ練習方法は、心臓マッサージ練習器具１０を用いて心臓マッサージを練習する方法であって、圧迫によりポンプ本体２１内の空気および液体の少なくとも一方を排出させる排出工程と、圧迫解除によりポンプ本体２１のポンプ室２１ａ内に液体Ｗと空気の両方を吸入させる吸入工程と交互に行う。
【００８３】
本実施形態に係る心臓マッサージ練習方法によれば、心臓マッサージ練習器具１０の使用者は、排出工程と吸入工程とを交互に行うことによって、ポンプ本体２１の動きや液体の動きを目視することができる。そして、吸入工程の際に、第１の吸入弁２２および第２の吸入弁２４から液体Ｗと空気の両方がポンプ本体２１内に吸入されるので、肺などの心臓以外の胸郭内蔵物を考慮した実際の人体の状態と同様の状態を擬似的に作り出すことができ、心臓マッサージ練習器具１０の使用者は、人体に対する実際の心臓マッサージに近い感覚の心臓マッサージを体感することができ、高度な練習を行うことができる。
【００８４】
本実施形態に係る他の実施例として、心臓マッサージ練習器具１０に種々の心肺蘇生補助器具を使用することもできる。例えば、図９に示すように、カバー１２の平坦部１２ａに、実際に人体の心臓マッサージで使用されるカーディオポンプＰ（第１の心肺蘇生補助器具）を装着して使用することができる。
【００８５】
カーディオポンプＰは、胸部に吸着させて圧迫と引き上げを行う器具であり、図９に示すように、吸盤部Ｋと、円盤部Ｅと、吸盤部Ｋと円盤部Ｅとを連結する連結部Ｒとを有している。カーディオポンプＰは、心臓マッサージを行う場合に、吸盤部Ｋを人体の胸部に吸着し、円盤部Ｅを押し下げることで胸骨を圧迫し、さらに円盤部Ｅを引き上げて胸腔内を陰圧にして心臓内に静脈から還流する血液の量を増大させるようにして使用される。このような圧迫と引き上げとを繰り返し、心拍出量を増大する機能を有している。
【００８６】
カーディオポンプＰは、図１０に示すように、吸盤部Ｋをカバー１２の平坦部１２ａに吸着し、カバー１２に対して圧迫と、引き上げを繰り返して行う。吸盤部Ｋでカバー１２を引き上げても、図５に示すように、ポンプ本体２１が、ベルトファスナー１６で一体化されるとともに、第２の面ファスナー１５でベースプレート１７と一体化され、さらに、ポンプ本体２１とカバー１２が第１の面ファスナー１３で一体化されているので、ポンプ本体２１がベースプレート１７から離脱することはない。
【００８７】
したがって、吸盤部Ｋでカバー１２を引き上げることにより、カバー１２およびポンプ本体２１の蛇腹部３１を圧迫された状態から、圧迫されていない状態に強制的に復帰させることができ、心臓マッサージ練習器具１０を使用した練習と、カーディオポンプＰを使用した練習とを同時に行うことができる。
【００８８】
心臓マッサージ練習器具１０のカバー１２の上面で且つポンプ本体２１の上端面部３２と対向する位置に平坦部１２ａが設けられており、カーディオポンプＰを装着可能にするための装着部として機能するようになっている。この平坦部１２ａに、カーディオポンプＰを取り付けて圧迫し、圧迫解除する際に引き上げることにより、ポンプ本体２１を強制的に伸長させることができる。心臓マッサージ練習器具１０にカーディオポンプＰを使用した場合、より多くの液体Ｗをより速くポンプ室２１ａに吸入させることができ、カーディオポンプＰの効果を実感でき、カーディオポンプＰの使用方法を効率よく習得することができる。
【００８９】
また、心肺蘇生補助器具として、例えば、人体の心臓マッサージを実施しているときに気道から肺への空気の吸入量を制限する抵抗弁２８（第２の心肺蘇生補助器具）を、心臓マッサージ練習器具１０に使用することもできる。抵抗弁２８は、図１０に示すように、模擬気管２７の開口端２７ｂに接続される。
【００９０】
抵抗弁２８は、模擬気管２７の流路２７ａと第２の吸入弁２４を通過してポンプ本体２１の外部からポンプ室２１ａに吸入される空気の吸入量を調整する機能を有しており、例えば人体の口腔に装着して心肺蘇生時、いわゆるＣＰＲ時の静脈還流量と心拍出量、および胸腔内圧の陰圧を増加させることができる吸気時空気抵抗弁装置（ＩＴＤ）であってもよい。
【００９１】
抵抗弁２８を模擬気管２７の開口端２７ｂに接続した状態で心臓マッサージ練習器具１０に対して心臓マッサージの動作を行った場合、抵抗弁２８を接続していないときと比較して、第２の吸入弁２４を通過してポンプ室２１ａに流入する空気の量が減り、第１の吸入弁２２を通過してポンプ室２１ａに流入する液体Ｗの量が増加し、より多くの液体Ｗをポンプ室２１ａに吸入させて排出させることができる。したがって、抵抗弁２８を用いて実際の人体への心臓マッサージにおいて肺に入り込む空気の量を制限した状態を擬似的に作り出すことができ、抵抗弁２８の効果を実感でき、抵抗弁２８の使用方法を効率よく習得することができる。
【００９２】
以上、本発明の実施形態について詳述したが、本発明は、前記の実施形態に限定されるものではなく、特許請求の範囲に記載された本発明の趣旨を逸脱しない範囲で、種々の設計変更を行うことができるものである。
【符号の説明】
【００９３】
１０・・・心臓マッサージ練習器具
１１・・・心臓ポンプ
１２・・・カバー
１２ａ・・・平坦部
１２ｂ・・・縁部
１３・・・第１の面ファスナー
１４・・・固定プレート
１５・・・第２の面ファスナー
１６・・・ファスナー
１７・・・ベースプレート
２１・・・ポンプ本体
２１ａ・・・ポンプ室
２２・・・第１の吸入弁
２３・・・排出弁
２４・・・第２の吸入弁
２５・・・模擬静脈管
２６・・・模擬動脈管
２７・・・模擬気管
２８・・・第２の心肺蘇生補助器具
３１・・・蛇腹部（中空弾性体）
３２・・・上端面部
３２ａ、３３ａ・・・挿入部
３３・・・下端面部
３４・・・スペーサ
４１、４３、４６・・・バルブケース
４２、４４、４７・・・弁体
Ｗ・・・液体
Ｐ・・・カーディオポンプ（第１の心肺蘇生補助器具）
【図１】
2020126096.tif 000003
【図２】
2020126096.tif 000004
【図３】
2020126096.tif 000005
【図４】
2020126096.tif 000006
【図５】
2020126096.tif 000007
【図６】
2020126096.tif 000008
【図７】
2020126096.tif 000009
【図８】
2020126096.tif 000010
【図９】
2020126096.tif 000011
【図１０】
2020126096.tif 000012